(57)【要約】【課題】サーバを設けずに利用者の認証を行い、通信状況を監視することができる技術を提供すること。【解決手段】利用者１４０に唯一のものとして割り当てられた通信アドレスを特定するアドレス情報と利用者１４０の生体情報とを情報記憶媒体１１０から読み出し、利用者１４０から取得された指紋データと照合し、これらが一致した場合には、アドレス情報で特定された通信アドレスを用いてネットワークへの接続を行い、接続されたネットワークでの通信履歴を履歴記憶部１２９で記憶する。【選択図】図１
2007094658.tif 000002
【特許請求の範囲】
【請求項１】
各利用者に割り当てられた通信用アドレスを特定するためのアドレス情報と、各利用者を識別することができる生体情報と、を記憶した情報記憶媒体と、
前記情報記憶媒体から前記アドレス情報及び前記生体情報を読み込む情報読取り部と、前記生体情報と照合するための照合用生体情報を各利用者から取得する生体情報獲得部と、を備える端末と、を備え、
前記端末は、前記情報記憶媒体から読み込まれた前記生体情報と、前記生体情報獲得部で取得された前記照合用生体情報と、を照合し、これらの情報により特定される各利用者の同一性が確認できた場合には、前記通信用アドレスを用いてネットワークへの接続を行うこと、
を特徴とする端末管理システム。
【請求項２】
請求項１に記載の端末管理システムであって、
前記端末は、接続された前記ネットワークにおいて通信を行った際には、その履歴を前記通信用アドレスとともに記憶すること、
を特徴とする端末管理システム。
【請求項３】
請求項１に記載の端末管理システムであって、
前記端末は、前記情報記憶媒体と定期的に接続を行うようにされており、前記情報記憶媒体との接続ができなくなった場合には、前記ネットワークへの接続を終了し、前記通信用アドレスを破棄すること、
を特徴とする端末管理システム。
【請求項４】
請求項１に記載の端末管理システムであって、
前記端末は、所定の間通信が行われていない場合には、前記ネットワークへの接続を終了し、前記通信用アドレスを破棄すること、
を特徴とする端末管理システム。
【請求項５】
請求項１乃至４の何れか一項に記載の端末管理システムであって、
前記通信用アドレスは、ＩＰｖ６のＩＰアドレスであること、
を特徴とする端末管理システム。
【請求項６】
請求項５に記載の端末管理システムであって、
前記アドレス情報は、プレフィックス部分の情報であること、
を特徴とする端末管理システム。
【請求項７】
ネットワークに接続される端末を管理する端末管理方法であって、
各利用者に割り当てられた通信用アドレスを特定するためのアドレス情報と、各利用者を識別することができる生体情報と、が記憶された情報記憶媒体から前記アドレス情報及び前記生体情報を読み込む情報読取り過程と、
前記生体情報と照合するための照合用生体情報を各利用者から取得する情報取得過程と、
前記生体情報と前記照合用生体情報とを照合する生体情報照合過程と、
前記生体情報と前記照合用生体情報とにより特定される各利用者の同一性が確認できた場合には、前記通信用アドレスを用いてネットワークへの接続を行う接続過程と、
を備える端末管理方法。
【請求項８】
請求項７に記載の端末管理方法であって、
前記接続過程において接続された前記ネットワークにおいて通信を行った際には、その履歴を前記通信用アドレスとともに記憶する履歴記憶過程を備えること、
を特徴とする端末管理方法。
【請求項９】
請求項７に記載の端末管理方法であって、
前記情報記憶媒体と定期的に接続を行い、前記情報記憶媒体と接続できるか否かを確認する接続確認過程と、
前記情報記憶媒体との接続ができなくなった場合には、前記ネットワークへの接続を終了し、前記通信用アドレスを破棄する終了過程と、を備えること、
を特徴とする端末管理方法。
【請求項１０】
請求項７に記載の端末管理方法であって、
接続された前記ネットワークでの通信間隔を計測する計測過程と、
前記計測過程において所定の間通信が行われていない場合には、前記端末において、前記ネットワークへの接続を終了し、前記通信用アドレスを破棄する終了過程と、を備えること、
を特徴とする端末管理方法。
【請求項１１】
各利用者に割り当てられた通信用アドレスを特定するためのアドレス情報と、各利用者を識別することができる生体情報と、を記憶した情報記憶媒体から前記アドレス情報及び前記生体情報を読み込む情報読取り部と、前記生体情報と照合するための照合用生体情報を各利用者から取得する生体情報獲得部と、を備えるコンピュータを、
前記情報記憶媒体から読み込まれた前記生体情報と、前記生体情報獲得部で取得された前記照合用生体情報と、を照合し、これらの情報により特定される各利用者の同一性が確認できた場合には、前記通信用アドレスを用いてネットワークへの接続を行う演算処理手段として機能させること、
を特徴とする端末管理プログラム。
【請求項１２】
請求項１１に記載の端末管理プログラムであって、
前記コンピュータを、接続された前記ネットワークで通信を行った際には、その履歴を前記通信用アドレスとともに記憶する記憶手段として機能させること、
を特徴とする端末管理システム。
【請求項１３】
請求項１１に記載の端末管理プログラムであって、
前記演算処理手段は、前記情報記憶媒体と定期的に接続を行うようにされており、前記情報記憶媒体との接続ができなくなった場合には、前記ネットワークへの接続を終了し、前記通信用アドレスを破棄すること、
を特徴とする端末管理プログラム。
【請求項１４】
請求項１１に記載の端末管理プログラムであって、
前記演算処理手段は、所定の間通信が行われていない場合には、前記ネットワークへの接続を終了し、前記通信用アドレスを破棄すること、
を特徴とする端末管理プログラム。
【発明の詳細な説明】
【技術分野】
【０００１】
本発明は、インターネット等のネットワークに接続された端末の利用状況を管理する技術に関する。
【背景技術】
【０００２】
インターネット等のネットワークに接続された端末の利用状況を管理するための技術として、特許文献１に記載された技術がある。
【０００３】
特許文献１に記載された技術は、端末において利用者が個人識別情報、例えば、利用者毎に割り当てられたパスワードを入力してログインした後に、このパスワードをサーバに送信し、サーバでは利用者毎に決められたＩＰアドレスを端末に返信して通信を行わせることで、利用者による端末の利用状況を管理することができるようにしている。
【０００４】
【特許文献１】特開平１０−２９４７５５号公報
【発明の開示】
【発明が解決しようとする課題】
【０００５】
しかしながら、従来の技術では、利用者が端末の利用を開始するたびにサーバとの間で通信を行わなければならず手間がかかり、特に、多数の端末からサーバに同時にアクセスがあった場合などには、認証に時間がかかり不便であった。
【０００６】
さらに、従来の技術では、端末の利用者がどのような通信を行ったのかを管理するために、端末での通信状況を監視するサーバを設ける必要があった。
【０００７】
そこで、本発明の目的は、サーバを設けずに利用者の認証を行い、通信状況を監視することができる技術を提供することにある。
【課題を解決するための手段】
【０００８】
上記課題を解決するため、本発明では、各利用者に割り当てられた通信用アドレスを特定するためのアドレス情報と各利用者を識別することができる生体情報とを記憶する情報記憶媒体を用いて、各共用端末で利用者の認証を行い、記憶媒体に記憶された生体情報と共用端末を利用する利用者の生体情報が一致した場合に、この記憶媒体に記憶されているアドレス情報を用いてネットワークに接続するようにした。
【０００９】
例えば、本発明は、各利用者に割り当てられた通信用アドレスを特定するためのアドレス情報と、各利用者を識別することができる生体情報と、を記憶した情報記憶媒体と、前記情報記憶媒体から前記アドレス情報及び前記生体情報を読み込む情報読取り部と、前記生体情報と照合するための照合用生体情報を各利用者から取得する生体情報獲得部と、を備える端末と、を備え、前記端末は、前記情報記憶媒体から読み込まれた前記生体情報と、前記生体情報獲得部で取得された前記照合用生体情報と、を照合し、これらの情報により特定される各利用者の同一性が確認できた場合には、前記通信用アドレスを用いてネットワークへの接続を行うこと、を特徴とする。
【発明の効果】
【００１０】
以上のように、本発明では、生体情報という個人毎に異なる識別情報を用いているために、端末の利用者を各端末で容易に認証を行うことができ、また、このような生体情報と各利用者に割り当てられた通信用アドレスとを対応させた形で通信用アドレスの管理を行っているため、この通信用アドレスでの通信履歴の管理を行うことで通信状況を各端末で容易に監視することができる。
【発明を実施するための最良の形態】
【００１１】
図１は、本発明の一実施形態である端末管理システム１００の概略構成図である。
【００１２】
図１に示されているように、端末管理システム１００は、情報記憶媒体１１０と共用端末１２０とを備えている。
【００１３】
情報記憶媒体１１０は、生体情報記憶部１１１と、アドレス情報記憶部１１２と、を備えている。
【００１４】
生体情報記憶部１１１には、共用端末１２０の利用者１４０を識別することができる生体情報、本実施形態では、指紋の画像データが記憶されている。
【００１５】
アドレス情報記憶部１１２には、共用端末１２０の利用者１４０に与えられている通信用アドレスを特定するためのアドレス情報が記憶されている。ここで、本実施形態では、通信用アドレスとして利用者１４０に対して唯一のものとして割り当てられている通信用アドレスを用いている。具体的には、ＩＰｖ６（Internet Protocol version 6）のＩＰアドレスを用いている。そして、１２８ビットで構成されているＩＰｖ６のＩＰアドレスは、その下位６４ビットは各通信機器のＭＡＣアドレスから生成されるインターフェースＩＤで、その上位６４ビットのプレフィックス部分が利用者毎に割り当てられるＩＤ部分であるため、本実施形態では、ＩＰｖ６のＩＰアドレスのプレフィックス部分をアドレス情報としてアドレス情報記憶部１１２に記憶しておく。
【００１６】
ここで、本実施形態においては、情報記憶媒体１１０は、指輪として構成されており、生体情報記憶部１１１及びアドレス情報記憶部１１２は、無線ＩＣチップ内に記憶されており、後述する情報読取り部１２１の電波から電力を得て、記憶されている生体情報及びアドレス情報をこの情報読取り部１２１に送信することができるようにされている。
【００１７】
共用端末１２０は、情報読取り部１２１と、生体情報獲得部１２２と、比較照合部１２３と、アドレス生成部１２４と、情報出力部１２５と、通信部１２６と、エラー出力部１２７と、履歴監視部１２８と、履歴記憶部１２９と、履歴出力部１３０と、情報受信制御部１３１と、時間計測部１３２と、入力部１３３と、通信制御部１３４と、により構成されている。
【００１８】
情報読取り部１２１は、電波を介して情報記憶媒体１１０から生体情報及びアドレス情報を読み取る。
【００１９】
生体情報獲得部１２２では、利用者１４０の指紋から照合用生体情報である指紋データを獲得する。例えば、利用者１４０の指の表面に、ＬＥＤ（Light Emitting Diode）等で光を照射し、その反射光をＣＣＤ（Charge Coupled Device）イメージセンサで取り込むことで、指紋の山と谷の反射率の違いを反映させた画像データを獲得することができるが、このような態様に限定されるわけではない。
【００２０】
比較照合部１２３は、生体情報獲得部１２２で情報記憶媒体１１０から受信された生体情報と生体情報獲得部１２２で読み取られた指紋データとを比較して、これらの情報により特定される各利用者が同一かどうか確認する。
【００２１】
これらの照合は、例えば、指紋の特徴点を照合するマニューシャマッチング方式、指紋の特徴点同士の間の指紋線と指紋の特徴点の両方を用いて照合するマニューシャリレーション方式、特徴点を含む所定の領域の指紋画像データを照合する画像マッチング方式等、任意の方式を使用することができる。
【００２２】
これらの生体情報と指紋データとが一致する場合には、アドレス生成部１２４は、通信部１２６からＭＡＣアドレスを読み出し、情報記憶媒体１１０から受信されたアドレス情報を用いてＩＰｖ６のＩＰアドレスを生成する。
【００２３】
このようにして生成されたＩＰｖ６のＩＰアドレスは、情報出力部１２５を介して通信部１２６に出力される。
【００２４】
一方、比較照合部１２３では、情報記憶媒体１１０から受信された生体情報と生体情報獲得部１２２で獲得された指紋データとが一致しない場合には、エラー出力部１２７で認証エラーを通知する。この認証エラーについては、ディスプレイにエラー情報を表示してもよく、また、ビープ音等を発することにより認証エラーを通知するようにしてもよい。
【００２５】
通信部１２６では、情報出力部１２５から送られてきたＩＰアドレスを通信用のＩＰアドレスに設定し、ネットワークへの接続が行われ、ネットワークでの通信が可能となる。
【００２６】
また、通信部１２６で行われている通信状況については、履歴監視部１２８で監視されている。具体的には、履歴監視部１２８では、通信部１２６を介して通信が行われた日時と通信が交わされた相手方のＩＰアドレスとを通信部１２６に設定されているＩＰアドレスと対応させた形で履歴データが生成されており、この履歴データを履歴記憶部１２８に記憶している。
【００２７】
履歴記憶部１２８で記憶されている履歴データは、履歴出力部１３０を介して出力することができるようになっている。なお、本実施形態では、履歴データをディスプレイに表示することができるようにされている。
【００２８】
情報受信制御部１３１は、情報読取り部１２１を介して定期的に情報記憶媒体１１０との間で接続をとし、情報記憶媒体１１０との接続がとれなくなった場合には、後述する通信制御部１３４に対して通知を行う。
【００２９】
時間計測部１３２は、通信部１２６で行われる通信間隔を測定しており、通信部１２６を介しての通信が所定の期間行われなかった場合には、後述する通信制御部１３４に対して通知を行う。
【００３０】
入力部１３３は、利用者１４０からの通信指令を後述する通信制御部１３４に対して入力する。また、共用端末１４０での通信を終了する場合にも、利用者１４０は、この入力部１３３を介して通信制御部１３４に対して終了要求を出す。
【００３１】
通信制御部１３４は、利用者１４０から通信要求を入力部１３３から受け取り、そのような要求を通信部１２６に対して伝達する。また、通信制御部１３４は、情報受信制御部１３１又は時間計測部１３２から通知が行われた場合、または、入力部１３３からネットワークへの接続を終了する終了要求がなされた場合には、通信部１２６に対して、設定されているＩＰアドレスを破棄する指令を出す。そして、このような指令を受けた通信部１２６では、ＩＰアドレスを消去することにより破棄し、ネットワークへの接続を終了する。
【００３２】
上述した共用端末１２０は、例えば、図２に示すように、ＣＰＵ（Central Processing Unit）１５１と、主メモリ１５２と、ＮＩＣ（Network Interface Card）１５３と、ディスプレイ１５４と、補助記憶装置１５５と、キーボード・マウス１５６と、インターフェース１５７と、タイマ１５８と、これらを連結するシステムバス１５９と、インターフェース１５７に接続された無線リーダ１６０と、ＣＣＤイメージセンサ１６１と、を有するコンピュータシステム１５０によって実現することができる。
【００３３】
ここで、比較照合部１２３、アドレス生成部１２４、情報出力部１２５、履歴監視部１２８、通信制御部１３４は、補助記憶装置１５５に記憶されているプログラムを主メモリ１５２に読み出し、ＣＰＵ１５１で実行することにより実現される。さらに、通信部１２６は、ＮＩＣ１５３により実現される。履歴記憶部１２９は、補助記憶装置１５５により実現される。さらに、エラー出力部１２７及び履歴出力部１３０は、ディスプレイ１２７により実現される。また、情報受信制御部１３１は、タイマ１６０から得られるパルス信号を補助記憶装置１５５に記憶されているプログラムで制御することによりＣＰＵ１５１で実現されている。また、時間計測部１３２も、タイマ１６０から得られるパルス信号を補助記憶装置１５５に記憶されているプログラムで制御することによりＣＰＵ１５１で実現されている。なお、入力部１３３は、キーボード・マウス１５６により実現されている。
【００３４】
また、情報読取り部１２１は、無線リーダ１６０により実現されている。さらに、生体情報獲得部１２２は、ＣＣＤイメージセンサ１６１により実現されている。
【００３５】
以上のように構成される端末管理システム１００でネットワークに接続する際の処理手順を図３に示すフローチャートで説明する。
【００３６】
まず、共用端末１２０の電源をＯＮにすると（Ｓ２００）、利用者１４０の認証待ち状態となる。
【００３７】
利用者１４０が、情報記憶媒体１１０を情報読取り部１２１に近づけると、情報読取り部１２１は情報記憶媒体１１０との間で通信を行い、情報記憶媒体１１０に記憶されているアドレス情報と生体情報とを受信する（Ｓ２０１）。
【００３８】
そして、利用者１４０が、生体情報獲得部１２２に指紋が読み取れるように指を接触させると、生体情報獲得部１２２で指紋データが読み取られる（Ｓ２０２）。
【００３９】
情報記憶媒体１１０から受信された生体情報と生体情報獲得部１２２で読み取られた指紋データとを比較照合部１２３で照合し（Ｓ２０３）、照合された情報により利用者の同一性が確認できた場合には（Ｓ２０４）、アドレス生成部１２４でＩＰｖ６のＩＰアドレスが生成される（Ｓ２０５）。
【００４０】
なお、照合された情報により利用者の同一性が確認できない場合には、エラー出力部１２７で認証エラーが通知される（Ｓ２１１）。
【００４１】
生成されたＩＰアドレスは、情報出力部１２５を介して、通信部１２６に通知される（Ｓ２０６）。
【００４２】
ＩＰアドレスが通知された通信部１２６では、ＩＰアドレスが設定され（Ｓ２０７）、ネットワークへの接続が開始される（Ｓ２０８）。
【００４３】
ネットワークへの接続が開始されると、そのネットワークを介して行われた通信の履歴が履歴監視部１２８で監視され、履歴データが作成される（Ｓ２０９）。作成された履歴データは履歴記憶部１２９で記憶される（Ｓ２１０）。
【００４４】
また、以上のようにして通信が開始された際の端末管理システム１００でネットワークへの接続を終了する際の処理手順を図４に示すフローチャートで説明する。
【００４５】
共用端末１２０での通信が行われている際に、利用者１４０が入力部１３３からログアウト要求を行うと（Ｓ３００）、通信制御部１３４は通信部１２６に対してネットワークへの接続を終了するよう指令を出す（Ｓ３０４）。
【００４６】
このような指令を受けた通信部１２６では、ネットワークへの接続を終了し（Ｓ３０５）、設定されていたＩＰアドレスを消去することで破棄する（Ｓ３０６）。
【００４７】
また、利用者１４０がログアウト要求を行わない場合でも（Ｓ３００）、利用者１４０が情報記憶媒体１１０を情報読取り部１２１から所定の間隔離す事により、情報受信制御部１３１が情報記憶媒体１１０との接続が停止したと判断し（Ｓ３０１）、情報受信制御部１４０から通信制御部１３４に通知が行わる（Ｓ３０３）。
【００４８】
このような通知が行われた通信制御部１３４では、通信部１２６に対してネットワークへの接続を終了するよう指令を出し（Ｓ３０４）、通信部１２６ではネットワークへの接続を終了し（Ｓ３０５）、設定されていたＩＰアドレスを消去することで破棄する（Ｓ３０６）。
【００４９】
また、利用者１４０が情報記憶媒体１１０を情報読取り部１２１から離さなくても、利用者１４０が一定の期間、共用端末１２０を使用して通信を行っていない場合には（Ｓ３０２）、時間計測部１３２から通信制御部１３４に通知が行われる（Ｓ３０３）。
【００５０】
このような通知が行われた通信制御部１３４では、通信部１２６に対してネットワークへの接続を終了するよう指令を出し（Ｓ３０４）、通信部１２６ではネットワークへの接続を終了し（Ｓ３０５）、設定されていたＩＰアドレスを消去することで破棄する（Ｓ３０６）。
【００５１】
以上のように、本発明の一実施形態である端末管理システム１００を構成したので、図５に示されているように、利用者１４０が、あるＬＡＮ１７０に接続されている共用端末１２０Ａに対して情報記憶媒体１１０を用いて認証を行い、インターネット１８０への接続を行った後に、ログアウト要求や情報記憶媒体１１０を情報読取り部１２１から離すことで、共用端末１２０ＡからはＩＰアドレスが消去されるため、他のＬＡＮ１７１に接続されている他の共用端末１２０Ｂに情報記憶媒体１１０を用いて認証を行うことで、即座に、この共用端末１２０Ｂを用いてインターネット１８０に接続することができる。
【００５２】
なお、図５に示されているように共用端末１２０Ａ、１２０Ｂは、異なるＬＡＮ１７０、１７１に接続されているもののほか、同じＬＡＮに属するものであっても、また、ＬＡＮ１７０、１７１を介しないで直接インターネット１８０に接続するものであってもよい。
【００５３】
また、共用端末１２０の形態は、図２に示されているようなコンピュータシステム１５０を備えていれば、いわゆるパーソナルコンピュータとして構成されている必要はなく。例えば、図６に示されているように、コピー機１９０等の事務用電気機器や電子レンジ１９１等の家庭用電気機器にも図２のようなコンピュータシステム１５０を備えておくことで、情報記憶媒体１１０を用いてこれらの使用状況を管理することができ、例えば、図６に示されているように、インターネット１８０を介してこれらの機器の使用状況を課金サーバ１９２に通知することで、これらの機器の使用状況に応じて利用者１４０に課金を行うことも可能である。
【００５４】
以上のように、本発明の実施形態である端末管理システム１００を構成したので、情報記憶媒体１１０を用いて容易に各端末で利用者１４０の認証を行うことができる。また、認証を行う場合に、生体情報という各個人に固有の情報を用いているため、例えば、情報記憶媒体１１０を他人が使用することはできないため、セキュリティも十分に確保することができる。
【００５５】
また、本実施形態では、通信用アドレスとして各利用者１４０に割り当てられた通信用アドレスを使用しており、かつ、この通信用アドレスは、各利用者１４０の生体情報がなければ使用することができないため、各端末でこの通信用アドレスを管理するだけで、容易に通信状況を管理することができる。
【００５６】
さらに、本実施形態では、通信用アドレスとして各利用者に割り当てられた通使用アドレスを使用しているため、通信の相手方において通信用アドレスを確認することで、容易に通信の相手方を特定することができるようになる。
【００５７】
以上に記載された実施形態では、利用者１４０の指紋を用いて認証を行うようにしているが、認証用の生体情報については、指紋に限定されるわけではなく、虹彩、顔、サイン、声帯、掌形、手のひらの静脈パターン等、利用者を唯一のものとして識別することができるものであればどのようなものであってもよい。
【００５８】
また、指紋を生体情報として使用する場合でも、本実施形態では、ＣＣＤイメージセンサにより指紋データを採取するようにされているが、例えば、半導体表面に指を押しつけたときに指紋により生ずる山と谷における電荷量の違いによって指紋データを採取する静電方式、センサ方面に指を接触させたときに指紋の山と谷により生ずる温度差を検知して指紋データを採取する感熱方式、指の表面に流した微弱電流で生じた電界が指紋の山の部分と谷の部分とによりその強度が異なることから生ずる分布パターンを指紋データに変換する電界方式等、他の方式により指紋データを採取するようにしてもよい。
【００５９】
また、本実施形態では、ＩＰｖ６のＩＰアドレスを使用しているが、共用端末の利用者１４０を唯一の存在として識別することができる通信用アドレスであれば、どのような通信アドレスであってもよい。例えば、各利用者に唯一のものとして付与される住民番号等から通信アドレスを生成するようなものであってもよい。
【００６０】
また、本実施形態では、ＩＰｖ６のＩＰアドレスのプレフィックス部分をアドレス情報としてアドレス情報記憶部１１２に記憶しているが、このような態様に限定されるわけではなく、１２８ビットのＩＰｖ６のＩＰアドレスをそのままアドレス情報記憶部に記憶しておき、利用する共用端末１２０毎に下位の６４ビット（ＭＡＣアドレスから生成される部分）を共用端末１２０毎に変更してＩＰアドレスとしてもよい。
【００６１】
また、本実施形態では、情報記憶媒体１１０として指輪を使用しているが、このような態様に限定されるわけではなく、例えば、カード状のものであったり、腕時計状のものであったりと、その形状については特に限定されない。
【００６２】
また、本実施形態では、情報記憶媒体１１０から無線を介して情報を取得するようにしているが、このような態様に限定されるわけではなく、例えば、情報記憶媒体１１０の生体情報記憶部１１１及びアドレス情報記憶部１１２を磁気テープにより構成することで、情報読取り部１２１も接触型のリーダにより構成することもできる。
【図面の簡単な説明】
【００６３】
【図１】端末管理システム１００の概略構成図。
【図２】コンピュータシステム１５０の概略構成図。
【図３】端末管理システム１００でネットワークに接続する際の処理手順を示すフローチャート。
【図４】端末管理システム１００でネットワークへの接続を終了する際の処理手順を示すフローチャート。
【図５】端末管理システム１００の利用形態を表す概略図。
【図６】端末管理システム１００の他の利用形態を表す概略図。
【符号の説明】
【００６４】
１００…端末管理システム、１１０…情報記憶媒体、１１１…生体情報記憶部、１１２…アドレス情報記憶部、１２０…共用端末、１２１…情報読取り部、１２２…生体情報獲得部、１２３…比較照合部、１２４…アドレス生成部、１２５…情報出力部、１２６…通信部、１２７…エラー出力部、１２８…履歴監視部、１２９…履歴記憶部、１３０…履歴出力部、１３１…情報受信制御部、１３３…入力部、１３４…通信制御部
【図１】
2007094658.tif 000003
【図２】
2007094658.tif 000004
【図３】
2007094658.tif 000005
【図４】
2007094658.tif 000006
【図５】
2007094658.tif 000007
【図６】
2007094658.tif 000008